(57)【要約】      （修正有）【課題】タイルの剥落等の原因となる、タイルの浮き等に対する補修工事の方法に使用する、タイル剥離予防ボルト、ドリルの取替刃の提供。【解決手段】ボルト形状をしており、ボルトの頭部及びボルトの軸部から構成され、ボルトの軸部は雄ねじが切られ、ボルトの頭部は、ボルトとしての使用時に平面から見て円形又は多角形であって、ボルトの軸部に対応した雌ねじが切られた穴が設けられており、ボルトの軸部の雄ねじと、雄ねじに対応したボルトの頭部の雌ねじにより、ボルトの頭部及びボルトの軸部を分離することができること、を特徴とする、タイル剥離予防方法に使用されるタイル剥離予防ボルトである。【選択図】図１５
2013241770.tif 000002
【特許請求の範囲】
【請求項１】
タイル剥離予防方法に使用する、タイル剥離予防ボルトであって、
前記タイル剥離予防方法は、
タイル剥離予防ボルトを使用して、建築物に張られたタイルが、当該建築物から剥がれ落ちるのを予防する方法であって、
（１）
前記建築物に張られたタイルの目地の交点部分に、前記タイル剥離予防ボルトを挿入するための穴を、ドリルで穿つ工程と、
（２）
当該タイルの目地の交点部分にドリルで穿った穴に、前記タイル剥離予防ボルトの軸部を挿入し、
当該ドリルで穿った穴を通じて入れた接着剤による、当該軸部の接着により、
前記目地の交点に隣接するタイルの表面を、当該タイル剥離予防ボルトの頭部で受けて、剥落を予防するために、前記タイルの目地の交点部分にドリルで穿った穴に当該タイル剥離予防ボルトを固定する工程と、
の各工程を行うタイル剥離予防方法であり、
前記タイル剥離予防ボルトは、
ボルト形状をしており、ボルトの頭部及びボルトの軸部から構成され、
当該ボルトの軸部は雄ねじが切られ、
当該ボルトの頭部は、ボルトとしての使用時に平面から見て円形又は多角形であって、当該ボルトの軸部に対応した雌ねじが切られた穴が設けられており、
ボルトの軸部の雄ねじと、当該雄ねじに対応したボルトの頭部の雌ねじにより、ボルトの頭部及びボルトの軸部を分離することができること、
を特徴とする、タイル剥離予防ボルト。
【請求項２】
タイル剥離予防方法に使用する、タイル剥離予防ボルトであって、
前記タイル剥離予防方法は、
タイル剥離予防ボルトを使用して、建築物に張られたタイルが、当該建築物から剥がれ落ちるのを予防する方法であって、
（１）
前記建築物に張られたタイルの目地の交点部分に、前記タイル剥離予防ボルトを挿入するための穴を、ドリルで穿つと共に、
当該ドリルで穴を穿つ目地の交点部分を中心として、当該ドリルで穿つ目地の交点に隣接するタイルの表面に対し座彫り加工する工程と、
（２）
当該タイルの目地の交点部分にドリルで穿った穴に、前記タイル剥離予防ボルトの軸部を挿入し、
当該ドリルで穿った穴を通じて入れた接着剤による、当該軸部の接着により、
前記目地の交点に隣接するタイルの座彫り加工した表面を、当該タイル剥離予防ボルトの頭部で受けて、剥落を予防するために、前記タイルの目地の交点部分にドリルで穿った穴に当該タイル剥離予防ボルトを固定する工程と、
の各工程を行うタイル剥離予防方法であり、
前記タイル剥離予防ボルトは、
ボルト形状をしており、ボルトの頭部及びボルトの軸部から構成され、
当該ボルトの軸部は雄ねじが切られ、
当該ボルトの頭部は、ボルトとしての使用時に平面から見て円形又は多角形であって、当該ボルトの軸部に対応した雌ねじが切られた穴が設けられており、
ボルトの軸部の雄ねじと、当該雄ねじに対応したボルトの頭部の雌ねじにより、ボルトの頭部及びボルトの軸部を分離することができること、
を特徴とする、タイル剥離予防ボルト。
【請求項３】
タイル剥離予防方法に使用する、タイル剥離予防ボルトであって、
前記タイル剥離予防方法は、
タイル剥離予防ボルトを使用して、建築物に張られたタイルが、当該建築物から剥がれ落ちるのを予防する方法であって、
（１）
前記建築物に張られたタイルの目地の交点部分に、前記タイル剥離予防ボルトを挿入するための穴を、ドリルで穿つと共に、
当該ドリルで穴を穿つ目地の交点部分を中心として、当該ドリルで穿つ目地の交点に隣接するタイルの表面に対し、前記タイル剥離予防ボルトの頭部が当該タイルの表面から出ないように座彫り加工する工程と、
（２）
当該タイルの目地の交点部分にドリルで穿った穴に、前記タイル剥離予防ボルトの軸部を挿入し、
当該ドリルで穿った穴を通じて入れた接着剤による、当該軸部の接着と、
前記目地の交点に隣接するタイルの座彫り加工した表面への、接着剤による当該タイル剥離予防ボルトの頭部の接着と、
により、
前記目地の交点に隣接するタイルの座彫り加工した表面を、当該タイル剥離予防ボルトの頭部で受けて、剥落を予防するために、前記タイルの目地の交点部分にドリルで穿った穴に当該タイル剥離予防ボルトを固定する工程と、
の各工程を行うタイル剥離予防方法であり、
前記タイル剥離予防ボルトは、
ボルト形状をしており、ボルトの頭部及びボルトの軸部から構成され、
当該ボルトの軸部は雄ねじが切られ、
当該ボルトの頭部は、ボルトとしての使用時に平面から見て円形又は多角形であって、当該ボルトの軸部に対応した雌ねじが切られた穴が設けられており、
ボルトの軸部の雄ねじと、当該雄ねじに対応したボルトの頭部の雌ねじにより、ボルトの頭部及びボルトの軸部を分離することができること、
を特徴とする、タイル剥離予防ボルト。
【請求項４】
タイル剥離予防方法に使用する、タイル剥離予防ボルトであって、
前記タイル剥離予防方法は、
タイル剥離予防ボルトを使用して、建築物に張られたタイルが、当該建築物から剥がれ落ちるのを予防する方法であって、
（１）
前記建築物に張られたタイルの目地の交点部分に、前記タイル剥離予防ボルトを挿入するための穴を、ドリルで穿つと共に、
当該ドリルで穴を穿つ目地の交点部分を中心として、当該ドリルで穿つ目地の交点に隣接するタイルの表面に対し座彫り加工する工程と、
（２）
当該タイルの目地の交点部分にドリルで穿った穴に、前記タイル剥離予防ボルトの軸部を挿入し、
当該ドリルで穿った穴を通じて入れた接着剤による、当該軸部の接着と、
前記目地の交点に隣接するタイルの座彫り加工した表面への、接着剤による、当該タイル剥離予防ボルトの頭部の小さい円形又は多角形の平面との接着と、
前記目地の交点に隣接するタイルの座彫り加工していない表面への、接着剤による、当該タイル剥離予防ボルトの頭部の大きい円形又は多角形の平面との接着と、
により、
前記目地の交点に隣接するタイルの座彫り加工した表面と座彫り加工していない表面とを、当該タイル剥離予防ボルトの頭部で受けて、剥落を予防するために、前記タイルの目地の交点部分にドリルで穿った穴に当該タイル剥離予防ボルトを固定する工程と、
の各工程を行うタイル剥離予防方法であり、
前記タイル剥離予防ボルトは、
ボルト形状をしており、ボルトの頭部及びボルトの軸部から構成され、
当該ボルトの軸部は雄ねじが切られ、
当該ボルトの頭部は、ボルトとしての使用時に平面から見て円形又は多角形であって、当該ボルトの軸部に対応した雌ねじが切られた穴が設けられており、当該ボルトの軸部側から小さい円形又は多角形の平面と、大きい円形又は多角形の平面と、の少なくとも２段階の平面が存在し、
ボルトの軸部の雄ねじと、当該雄ねじに対応したボルトの頭部の雌ねじにより、ボルトの頭部及びボルトの軸部を分離することができること、
を特徴とする、タイル剥離予防ボルト。
【請求項５】
請求項１乃至請求項４に記載されたタイル剥離予防ボルトであって、
前記ドリルで穿った穴を通じて入れた接着剤による、前記タイル剥離予防ボルトの軸部の接着を強固にするためのエッジストッパーが、当該タイル剥離予防ボルトの軸部の雄ねじに、はめられていること、
を特徴とする、タイル剥離予防ボルト。
【請求項６】
請求項１乃至請求項４に記載されたタイル剥離予防ボルトであって、
前記タイル剥離予防ボルトの頭部の、ボルトとしての使用時の面に、
前記目地の交点に隣接するタイルに近似する塗膜を形成したこと、
を特徴とする、タイル剥離予防ボルト。
【請求項７】
タイル剥離予防方法に使用する、ドリルの刃となる、ドリルの取替刃であって、
前記タイル剥離予防方法は、
タイル剥離予防ボルトを使用して、建築物に張られたタイルが、当該建築物から剥がれ落ちるのを予防する方法であって、
（１）
前記建築物に張られたタイルの目地の交点部分に、前記タイル剥離予防ボルトを挿入するための穴を、ドリルで穿つと共に、
当該ドリルで穴を穿つ目地の交点部分を中心として、当該ドリルで穿つ目地の交点に隣接するタイルの表面に対し座彫り加工する工程と、
（２）
当該タイルの目地の交点部分にドリルで穿った穴に、前記タイル剥離予防ボルトの軸部を挿入し、
当該ドリルで穿った穴を通じて入れた接着剤による、当該軸部の接着により、
前記目地の交点に隣接するタイルの座彫り加工した表面を、当該タイル剥離予防ボルトの頭部で受けて、剥落を予防するために、前記タイルの目地の交点部分にドリルで穿った穴に当該タイル剥離予防ボルトを固定する工程と、
の各工程を行うタイル剥離予防方法であり、
前記ドリルの取替刃は、
ドリルの先端側から、小さい円形又は多角形の平面の刃と、大きい円形又は多角形の平面の刃と、の２段階の平面の刃が存在し、
当該小さい円形又は多角形の平面の刃で、前記タイル剥離予防ボルトを挿入するための穴を穿つと共に、
当該大きい円形又は多角形の平面の刃で、前記タイルの表面に対し座彫り加工する工程を、一緒に行う事ができること、
を特徴とする、ドリルの取替刃。
【請求項８】
請求項７に記載されたドリルの取替刃であって、
前記小さい円形又は多角形の平面の刃と、
前記大きい円形又は多角形の平面の刃と、
の長さを調節するための調節機構を設けていること、
を特徴とする、ドリルの取替刃。
【発明の詳細な説明】
【技術分野】
【０００１】
本発明は、マンション、ビルやホテル、などの各種の建築物の壁面、天井等に張られたタイルが、当該建築物の壁面、天井等から剥がれ落ちるのを予防する方法に関するものである。
特に、建築物の壁面、天井等からタイルが剥がれ落ちるのを予防する方法に使用する、タイル剥離予防ボルト、ドリルの取替刃、に関するものである。
【背景技術】
【０００２】
マンション、ビルやホテル、などの各種の建築物の壁面、天井等は、経年劣化によって、「モルタルの浮き」や「躯体のひび割れ」等が発生し、これらは、「モルタルの剥落」や「酸性雨水による躯体コンクリートの中性化」等の原因となっている。そのため、建築物の管理者は、建築物の経済的価値を保つために、建築物の劣化状態を定期的に調査し、「モルタルの浮き」や「躯体のひび割れ」等に対し、適切な時期に補修工事を行う必要がある。
【０００３】
例えば、「モルタルの浮き」が見つかった場合には、コンクリートとモルタルとの隙間に充填剤を注入して「モルタルの剥落」を防止する必要がある。他にも、「躯体のひび割れ」が見つかった場合には、ひび割れ部分に充填剤を注入することにより、「酸性雨による水の浸入」を防止する必要がある。
【０００４】
同様に、経年劣化によって、マンション、ビルやホテル、などの各種の建築物の壁面、天井等に張られたタイルも、「タイルの浮き」等が発生し、これは、「タイルの剥落」等の原因となる。そのため、建築物の管理者は、建造物の経済的価値を保つために、建築物の劣化状態を定期的に調査し、「タイルの浮き」等に対し、適切な時期に補修工事を行う必要がある。
【０００５】
例えば、「タイルの浮き」が見つかった場合には、タイルとモルタルとの隙間に充填剤を注入して「タイルの剥落」を防止する必要がある。他にも、「タイルの浮き」が生じて、剥がれ落ちる可能性が高くなったタイルを、張り替える方法もある。
【０００６】
このような建築物の壁面、天井等の補修工事の多くは、狭い足場の上での施工となるため、充填器具は、取扱いが簡単で、かつ持運びに便利なものでなければならない。
【０００７】
例えば、以下の特許文献に示されるような充填器具等が存在する。
【先行技術文献】
【特許文献】
【０００８】
【特許文献１】特開２００２−１１３４０５号公報
【特許文献２】特許４０２０７２２号公報
【特許文献３】特開２０１１−１９０５９６号公報
【発明の概要】
【発明が解決しようとする課題】
【０００９】
本願に係る発明の課題は、経年劣化によって、マンション、ビルやホテル、などの各種の建築物の壁面、天井等に張られたタイルに発生する、「タイルの剥落」等の原因となる、「タイルの浮き」等に対する補修工事の方法の実現である。
特に、建築物の壁面、天井等からタイルが剥がれ落ちるのを予防する方法に使用する、タイル剥離予防ボルト、ドリルの取替刃の実現である。
【課題を解決するための手段】
【００１０】
１、
【００１１】
（１）
【００１２】
そこで、本発明に係るタイル剥離予防ボルトは、
タイル剥離予防方法に使用する、タイル剥離予防ボルトであって、
前記タイル剥離予防方法は、
タイル剥離予防ボルトを使用して、建築物に張られたタイルが、当該建築物から剥がれ落ちるのを予防する方法であって、
（１）
前記建築物に張られたタイルの目地の交点部分に、前記タイル剥離予防ボルトを挿入するための穴を、ドリルで穿つ工程と、
（２）
当該タイルの目地の交点部分にドリルで穿った穴に、前記タイル剥離予防ボルトの軸部を挿入し、
当該ドリルで穿った穴を通じて入れた接着剤による、当該軸部の接着により、
前記目地の交点に隣接するタイルの表面を、当該タイル剥離予防ボルトの頭部で受けて、剥落を予防するために、前記タイルの目地の交点部分にドリルで穿った穴に当該タイル剥離予防ボルトを固定する工程と、
の各工程を行うタイル剥離予防方法であり、
前記タイル剥離予防ボルトは、
ボルト形状をしており、ボルトの頭部及びボルトの軸部から構成され、
当該ボルトの軸部は雄ねじが切られ、
当該ボルトの頭部は、ボルトとしての使用時に平面から見て円形又は多角形であって、当該ボルトの軸部に対応した雌ねじが切られた穴が設けられており、
ボルトの軸部の雄ねじと、当該雄ねじに対応したボルトの頭部の雌ねじにより、ボルトの頭部及びボルトの軸部を分離することができること、
を特徴とする、タイル剥離予防ボルトである。
【００１３】
（２）
【００１４】
「建築物」とは、建築基準法上に規定されている建築物であり、例えば、住宅（共同住宅、集合住宅を含む）、オフィスビル、駅（駅舎）、空港、官公庁舎、警察署、消防署、交番、公衆便所、寺院、神社、教会、競技場、球場（スタジアム）、橋、映画館、演芸場、観覧場、公会堂、集会場、病院、診療所、ホテル、旅館、工場、下宿、寄宿舎、児童福祉施設等、児童福祉施設、助産所、身体障害者更生援護施設、精神障害者社会復帰施設、保護施設、婦人保護施設、知的障害者援護施設、老人福祉施設、有料老人ホーム、母子保健施設、学校、体育館、博物館、美術館、図書館、ボウリング場、スキー場、水泳場、スポーツの練習場、百貨店、マーケット、展示場、カフェ、遊技場、公衆浴場、待合、料理店、飲食店、店舗（物品販売業を営む）、倉庫、自動車車庫、自動車修理工場、映画スタジオ、テレビスタジオ、等が該当する。
「建築物に張られたタイル」とは、上記「建築物」の壁面、天井等に張られたタイルが該当する。
【００１５】
「タイル剥離予防ボルト」とは、ボルト形状をしており、使用時に平面から見て当該ボルトの頭部が円形又は多角形（例えば、六角形等）のボルトである。ボルトの頭部の多角形としては、六角形以外にも、三角形、四角形、五角形、八角形、等の多角形が考えられる。
「ボルトとしての使用時に平面から見て」とは、ボルトとしての使用時にボルトの頭部方向から見て、という意味である。
「使用時に平面から見て当該ボルトの頭部が円形又は多角形である」ボルトの例としては、六角ボルト形状、六角穴付ボルト（キャップボルト）形状、ボタンキャップボルト形状、皿キャップボルト形状、蝶ボルト形状、等の形状のボルトが該当する。
なお、ボルトとナットはセットになることが多いものではあるが、本発明に係る「タイル剥離予防ボルト」は、ドリルで穿った穴に接着剤で固定するものであるため、ナットを必ずしも必要とするわけではない。
【００１６】
「タイルの目地の交点部分」とは、建築物に張られた、タイルとタイルとの間の継ぎ目の部分（タイルの目地）が交わる目地部分を指し、ある目地の直線と別の目地の直線とが交わる部分の、四角形の面積の目地部分を意味する。
「建築物に張られたタイルの目地の交点部分に、タイル剥離予防ボルトを挿入するための穴を、ドリルで穿つ」とは、「建築物に張られたタイルの目地の交点部分」の全部又は一部の面積部分について、ドリルで穴を穿つ、という意味である。
なお、目地に充填される建築材料のことを、目地材又は目地剤といい、モルタル、セメント、シーリング、漆喰、等がある。
【００１７】
建築物に張られたタイルの部分は、例えば、建築物の外側から内側に向かって、タイル、圧着モルタル（タイルを張り付けるモルタル）、モルタル層（基礎となるモルタル層）、建築物の躯体（コンクリート等）、の各層の順番となっている。
このように、一般的には、建築物に張られたタイルの部分は、建築物の外側から内側に向かって、タイル、タイルを接着させる接着剤の層（圧着モルタル等）、タイルと建築物の躯体との間の中間層（モルタル層等）、建築物の躯体（コンクリート等）、の各層の順番となっている。
「タイルの浮き」、「モルタルの浮き」とは、タイル、タイルを接着させる接着剤の層、タイルと建築物の躯体との間の中間層、建築物の躯体、の各層の間に、何らかの原因により空間が生じてしまうことにより起きる現象である。
【００１８】
建築物に張られたタイルの、「タイルの目地の交点部分」は、例えば、建築物の外側から内側に向かって、目地モルタル（目地の部分のモルタル）、モルタル層（基礎となるモルタル層）、建築物の躯体（コンクリート等）、の各層の順番となっている。
このように、一般的には、建築物に張られたタイルの、「タイルの目地の交点部分」は、建築物の外側から内側に向かって、タイルの目地の層（目地モルタル等）、タイルと建築物の躯体との間の中間層（モルタル層等）、建築物の躯体（コンクリート等）、の各層の順番となっている。
【００１９】
「建築物に張られたタイルの目地の交点部分に、タイル剥離予防ボルトを挿入するための穴を、ドリルで穿つ」とは、例えば、建築物の外側から内側に向かって、タイルの目地の層（目地モルタル等）、タイルと建築物の躯体との間の中間層（モルタル層等）、建築物の躯体（コンクリート等）、の各層の順番となっている場合、タイルの目地の層の部分の深さまでドリルで穴を穿つ事だけでなく、タイル剥離予防ボルトをしっかりと固定するために、タイルと建築物の躯体との間の中間層の部分の深さまでドリルで穴を穿つ事や、さらに、建築物の躯体の部分の深さまでドリルで穴を穿つ事も、考えられる。
「ドリル」とは、回転する動作によって、物に円柱の形の穴を開ける工具であるが、建築物に張られたタイルの目地の交点部分に、タイル剥離予防ボルトを挿入するための穴を穿つことができるドリルであれば、ドリルの種類は問わない。
一般的には、タイルや、タイルの目地部分等に穴を穿つ際には、電動ドリルが用いられる。
【００２０】
「接着剤」には、各種の接着剤が含まれるが、接着剤としては、無機系接着剤、有機系接着剤、天然系接着剤、合成系接着剤、の種類がある。
無機系接着剤には、シリカ系接着剤、セラミック、セメント、はんだ、水ガラス（珪酸ナトリウム、珪酸ソーダ等が含まれる。
天然系接着剤には、アスファルト、アラビアガム、アルブミン、漆、カゼイン系接着剤、天然ゴム系接着剤、天然ゴムラテックス接着剤、デンプン系接着剤、膠の接着剤、フィブリン接着剤、松やに等が含まれる。
合成系接着剤には、アクリル樹脂系接着剤、アクリル樹脂嫌気性接着剤、アクリル樹脂エマルジョン接着剤、アクリル樹脂系粘着テープ、α−オレフィン系接着剤、ウレタン樹脂系接着剤、ウレタン樹脂溶剤系接着剤、ウレタン樹脂エマルジョン接着剤、エーテル系セルロ−ス、エチレン−酢酸ビニル樹脂エマルジョン接着剤、エチレン−酢酸ビニル樹脂ホットメルト接着剤、エポキシ樹脂系接着剤、エポキシ樹脂エマルジョン接着剤、塩化ビニル樹脂溶剤系接着剤、クロロプレンゴム系接着剤、酢酸ビニル樹脂エマルジョン接着剤、シアノアクリレート系接着剤、シリコーン系接着剤、水性高分子−イソシアネート系接着剤、スチレン−ブタジエンゴム溶液系接着剤、スチレン-ブタジエンゴム系ラテックス接着剤、ニトリルゴム系接着剤、ニトロセルロース接着剤、反応性ホットメルト接着剤、フェノール樹脂系接着剤、変成シリコーン系接着剤、ポリアミド樹脂ホットメルト接着剤、ポリイミド系接着剤、ポリウレタン樹脂ホットメルト接着剤、ポリオレフィン樹脂ホットメルト接着剤、ポリ酢酸ビニル樹脂溶液系接着剤、ポリスチレン樹脂溶剤系接着剤、ポリビニルアルコール系接着剤、ポリビニルピロリドン樹脂系接着剤、ポリビニルブチラール樹脂系接着剤、ポリベンズイミダソール接着剤、ポリメタクリレート樹脂溶液系接着剤、メラミン樹脂系接着剤、ユリア樹脂系接着剤、レゾルシノール系接着剤、等が含まれる。
本発明では、接着剤として、建築物の工事においてよく利用される、合成系接着剤を利用してもよい。例えば、弾性のエポキシ樹脂系接着剤等である。
【００２１】
「当該ドリルで穿った穴を通じて入れた接着剤による、当該軸部の接着により」とは、「当該ドリルで穿った穴」に「接着剤」を注入し、「タイル剥離予防ボルト」を挿入して、「タイル剥離予防ボルト」の軸部を「当該ドリルで穿った穴」に接着させることを意味する。
当該接着により、「タイルの目地の交点部分にドリルで穿った穴に当該タイル剥離予防ボルトを固定する」ことができる。
「目地の交点に隣接するタイルの表面を、当該タイル剥離予防ボルトの頭部で受けて」とは、「目地の交点に隣接するタイルの表面」を、使用時に平面から見てボルトの頭部が円形又は多角形である「タイル剥離予防ボルトの頭部」で受けとめ、押さえる状態として、という意味である。
「タイル剥離予防ボルトの頭部で受けとめ、押さえる状態」の程度は、タイルの剥離予防ができる程度でよく、きつめにしたり、緩めにしたり、という強弱はある程度の幅がある。
なお、「接着剤」を注入する前に、「当該ドリルで穿った穴」を水等で洗浄するという工程を行うと、ドリルで穿った部分のくずを、接着の前に除去することができる。
「ボルトの頭部は、当該ボルトの軸部に対応した雌ねじが切られた穴が設けられており」とは、ボルトの頭部に穴が設けられており、ボルトの軸部の雄ねじと、当該雄ねじに対応したボルトの頭部の雌ねじにより、結合させて、タイル剥離予防ボルトとすることができることを意味する。
【００２２】
（３）
【００２３】
建築物に張られたタイルの目地の交点部分に、タイル剥離予防ボルトを挿入するための穴をドリルで穿ち、当該穴に、タイル剥離予防ボルトの軸部を挿入して、当該ドリルで穿った穴を通じて入れた接着剤による、当該軸部の接着により、目地の交点に隣接するタイルの表面を、タイル剥離予防ボルトの頭部で受けて、剥落を予防するために、タイルの目地の交点部分にドリルで穿った穴に当該タイル剥離予防ボルトを固定する。
本発明により、経年劣化によって、マンション、ビルやホテル、などの各種の建築物の壁面、天井等に張られたタイルに発生した、「タイルの剥落」等の原因となる「タイルの浮き」等に対する補修工事の方法が実現できる。
タイル剥離予防ボルトの円形又は多角形の頭部により、タイル剥離予防ボルトが固定されたタイルの目地の交点部分に接する複数（一般的には、３つ又は４つ）のタイルが、建築物から剥がれ落ちるのを予防することができる。
また、建築物に張られたタイルの目地の交点部分に穿った穴を通じて、接着剤を入れるため、当該穴が「タイルの浮き」や「モルタルの浮き」の部分の空間と繋がったような場合は、当該穴を通じ、「タイルの浮き」や「モルタルの浮き」の部分の空間に接着剤を導入する事ができ、補強する事ができる場合がある。
加えて、「ボルトの軸部の雄ねじと、当該雄ねじに対応したボルトの頭部の雌ねじにより、分離することができる」ため、例えば、ボルトの軸部を「雄ねじが切られた長い金属棒」から切り出し、別途製造した、雌ねじが切られた穴が設けられたボルトの頭部と結合させて、タイル剥離予防ボルトを製造すれば、安価に、タイル剥離予防ボルトを量産することができる。
すなわち、タイル剥離予防ボルトを一体成型して製造せずとも、安価に、タイル剥離予防ボルトを量産することができるし、組み合わせることによって、タイル剥離予防ボルトの軸部の長さや、ボルトの頭部を、ある程度の自由度を持たせて調節することができる。
【００２４】
２、
【００２５】
（１）
【００２６】
また、他の発明に係るタイル剥離予防ボルトは、前記タイル剥離予防方法の（１）及び（２）の工程が、
（１）
前記建築物に張られたタイルの目地の交点部分に、前記タイル剥離予防ボルトを挿入するための穴を、ドリルで穿つと共に、
当該ドリルで穴を穿つ目地の交点部分を中心として、当該ドリルで穿つ目地の交点に隣接するタイルの表面に対し座彫り加工する工程と、
（２）
当該タイルの目地の交点部分にドリルで穿った穴に、前記タイル剥離予防ボルトの軸部を挿入し、
当該ドリルで穿った穴を通じて入れた接着剤による、当該軸部の接着により、
前記目地の交点に隣接するタイルの座彫り加工した表面を、当該タイル剥離予防ボルトの頭部で受けて、剥落を予防するために、前記タイルの目地の交点部分にドリルで穿った穴に当該タイル剥離予防ボルトを固定する工程と、
の各工程を行うタイル剥離予防方法であること、
を特徴とする、タイル剥離予防ボルトである。
【００２７】
（２）
【００２８】
「ドリルで穴を穿つ目地の交点部分を中心として」とは、建築物に張られた、タイルとタイルとの間の継ぎ目の部分（タイルの目地）が交わる目地部分（「タイルの目地の交点部分」）を中心として、すなわち、ある目地の直線と別の目地の直線とが交わる部分の、四角形の面積の目地部分（「タイルの目地の交点部分」）のいずれかの場所を中心として、という位の意味である。
「ドリルで穿つ目地の交点に隣接するタイルの表面に対し座彫り加工する」とは、ドリルで穿つ目地の交点（「タイルの目地の交点部分」）に隣接する複数（一般的には、３つ又は４つ）のタイルの表面に対し、座彫り加工することを意味する。
「タイルの表面に対し座彫り加工する」とは、タイルの表面を、タイル剥離予防ボルトの頭部で受ける際に、タイル剥離予防ボルトの頭部がしっかりとタイルの表面を受けられるように、タイルの表面を平らに掘り下げる加工である。
「座彫り加工」の程度として、タイル剥離予防ボルトの頭部が、当該座彫り加工していない部分のタイルの表面から出ないように深く座彫り加工する場合も考えられるし、タイル剥離予防ボルトの頭部が、当該座彫り加工していない部分のタイルの表面から出る程度の浅い座彫り加工をする場合も考えられる。
「建築物に張られたタイルの目地の交点部分に、タイル剥離予防ボルトを挿入するための穴を、ドリルで穿つ」作業と、「ドリルで穴を穿つ目地の交点部分を中心として、当該ドリルで穿つ目地の交点に隣接するタイルの表面に対し座彫り加工する」作業とは、どちらを先に行ってもよいし（順番は、どちらから先に行っても構わないし）、同時に行ってもよい。
「目地の交点に隣接するタイルの座彫り加工した表面を、当該タイル剥離予防ボルトの頭部で受けて」とは、「目地の交点に隣接するタイルの座彫り加工した表面」を、使用時に平面から見てボルトの頭部が円形又は多角形である「タイル剥離予防ボルトの頭部」で受けとめ、押さえる状態として、という意味である。
「タイル剥離予防ボルトの頭部」で受けとめ、押さえる「目地の交点に隣接するタイルの座彫り加工した表面」は、「目地の交点に隣接するタイルの座彫り加工した表面」の全面の場合に限られず、一部であってもよい。
【００２９】
（３）
【００３０】
本発明により、経年劣化によって、マンション、ビルやホテル、などの各種の建築物の壁面、天井等に張られたタイルに発生した、「タイルの剥落」等の原因となる「タイルの浮き」等に対する補修工事の方法が実現できる。
また、「ドリルで穴を穿つ目地の交点部分を中心として、当該ドリルで穿つ目地の交点に隣接するタイルの表面に対し座彫り加工する」ため、目地の交点に隣接するタイルの座彫り加工した表面を、当該タイル剥離予防ボルトの頭部で受けて、剥落を予防することができ、しっかりと固定することができると共に、補修工事後のタイルの外観を美しく保つことができる。
加えて、「ボルトの軸部の雄ねじと、当該雄ねじに対応したボルトの頭部の雌ねじにより、分離することができる」ため、例えば、ボルトの軸部を「雄ねじが切られた長い金属棒」から切り出し、別途製造した、雌ねじが切られた穴が設けられたボルトの頭部と結合させて、タイル剥離予防ボルトを製造すれば、安価に、タイル剥離予防ボルトを量産することができる。
すなわち、タイル剥離予防ボルトを一体成型して製造せずとも、安価に、タイル剥離予防ボルトを量産することができるし、組み合わせることによって、タイル剥離予防ボルトの軸部の長さや、ボルトの頭部を、ある程度の自由度を持たせて調節することができる。
【００３１】
３、
【００３２】
（１）
【００３３】
また、他の発明に係るタイル剥離予防ボルトは、前記タイル剥離予防方法の（１）及び（２）の工程が、
（１）
前記建築物に張られたタイルの目地の交点部分に、前記タイル剥離予防ボルトを挿入するための穴を、ドリルで穿つと共に、
当該ドリルで穴を穿つ目地の交点部分を中心として、当該ドリルで穿つ目地の交点に隣接するタイルの表面に対し、前記タイル剥離予防ボルトの頭部が当該タイルの表面から出ないように座彫り加工する工程と、
（２）
当該タイルの目地の交点部分にドリルで穿った穴に、前記タイル剥離予防ボルトの軸部を挿入し、
当該ドリルで穿った穴を通じて入れた接着剤による、当該軸部の接着と、
前記目地の交点に隣接するタイルの座彫り加工した表面への、接着剤による当該タイル剥離予防ボルトの頭部の接着と、
により、
前記目地の交点に隣接するタイルの座彫り加工した表面を、当該タイル剥離予防ボルトの頭部で受けて、剥落を予防するために、前記タイルの目地の交点部分にドリルで穿った穴に当該タイル剥離予防ボルトを固定する工程と、
の各工程を行うタイル剥離予防方法であること、
を特徴とする、タイル剥離予防ボルトである。
【００３４】
（２）
【００３５】
「ドリルで穿つ目地の交点に隣接するタイルの表面に対し、前記タイル剥離予防ボルトの頭部が当該タイルの表面から出ないように座彫り加工する」とは、ドリルで穿つ目地の交点（「タイルの目地の交点部分」）に隣接する複数（一般的には、３つ又は４つ）のタイルの表面に対し、座彫り加工することを意味し、特に、タイル剥離予防ボルトの頭部が、当該座彫り加工していない部分のタイルの表面から出ないように座彫り加工することを意味する。
「ドリルで穿つ目地の交点に隣接するタイルの表面に対し、前記タイル剥離予防ボルトの頭部が当該タイルの表面から出ないように座彫り加工する」には、タイル剥離予防ボルトの頭部が、当該座彫り加工していない部分のタイルの表面から出ないだけでなく、ドリルで穿つ目地の交点（「タイルの目地の交点部分」）における元々の目地の高さ付近にタイル剥離予防ボルトの頭部の頂点の面が合うよう、タイル剥離予防ボルトの頭部が、ドリルで穿つ目地の交点（「タイルの目地の交点部分」）における元々の目地の表面から出ないように座彫り加工する場合も含まれる。
「目地の交点に隣接するタイルの座彫り加工した表面への、接着剤による当該タイル剥離予防ボルトの頭部の接着」とは、「目地の交点に隣接するタイルの座彫り加工した表面」に「接着剤」で「タイル剥離予防ボルトの頭部」を接着することを意味する。
当該接着により、「タイルの目地の交点部分にドリルで穿った穴に当該タイル剥離予防ボルトを固定する」ことについて、より強固な固定ができる。
「ドリルで穿った穴を通じて入れた接着剤による、当該軸部の接着」と、「目地の交点に隣接するタイルの座彫り加工した表面への、接着剤による当該タイル剥離予防ボルトの頭部の接着」とは、どちらを先に行ってもよいし（順番は、どちらから先に行っても構わないし）、同時に行ってもよい。
【００３６】
（３）
【００３７】
本発明により、経年劣化によって、マンション、ビルやホテル、などの各種の建築物の壁面、天井等に張られたタイルに発生した、「タイルの剥落」等の原因となる「タイルの浮き」等に対する補修工事の方法が実現できる。
また、「ドリルで穿つ目地の交点に隣接するタイルの表面に対し、前記タイル剥離予防ボルトの頭部が当該タイルの表面から出ないように座彫り加工する」ため、目地の交点に隣接するタイルの座彫り加工した表面を、当該タイル剥離予防ボルトの頭部で受けて、剥落を予防することができ、しっかりと固定することができると共に、補修工事後にタイル剥離予防ボルトの頭部が目立たず、タイルの外観を美しく保つことができる。
加えて、「タイル剥離予防ボルトの頭部が、ドリルで穿つ目地の交点（「タイルの目地の交点部分」）における元々の目地の表面から出ないように座彫り加工する」場合は、タイル剥離予防ボルトの頭部が周りの目地の表面から出ないため、補修工事後にタイル剥離予防ボルトの頭部が目立たず、タイルや目地の外観を美しく保つことができる。
さらに、「ボルトの軸部の雄ねじと、当該雄ねじに対応したボルトの頭部の雌ねじにより、分離することができる」ため、例えば、ボルトの軸部を「雄ねじが切られた長い金属棒」から切り出し、別途製造した、雌ねじが切られた穴が設けられたボルトの頭部と結合させて、タイル剥離予防ボルトを製造すれば、安価に、タイル剥離予防ボルトを量産することができる。
すなわち、タイル剥離予防ボルトを一体成型して製造せずとも、安価に、タイル剥離予防ボルトを量産することができるし、組み合わせることによって、タイル剥離予防ボルトの軸部の長さや、ボルトの頭部を、ある程度の自由度を持たせて調節することができる。
【００３８】
４、
【００３９】
（１）
【００４０】
また、他の発明に係るタイル剥離予防ボルトは、前記タイル剥離予防方法の（１）及び（２）の工程が、
（１）
前記建築物に張られたタイルの目地の交点部分に、前記タイル剥離予防ボルトを挿入するための穴を、ドリルで穿つと共に、
当該ドリルで穴を穿つ目地の交点部分を中心として、当該ドリルで穿つ目地の交点に隣接するタイルの表面に対し座彫り加工する工程と、
（２）
当該タイルの目地の交点部分にドリルで穿った穴に、前記タイル剥離予防ボルトの軸部を挿入し、
当該ドリルで穿った穴を通じて入れた接着剤による、当該軸部の接着と、
前記目地の交点に隣接するタイルの座彫り加工した表面への、接着剤による、当該タイル剥離予防ボルトの頭部の小さい円形又は多角形の平面との接着と、
前記目地の交点に隣接するタイルの座彫り加工していない表面への、接着剤による、当該タイル剥離予防ボルトの頭部の大きい円形又は多角形の平面との接着と、
により、
前記目地の交点に隣接するタイルの座彫り加工した表面と座彫り加工していない表面とを、当該タイル剥離予防ボルトの頭部で受けて、剥落を予防するために、前記タイルの目地の交点部分にドリルで穿った穴に当該タイル剥離予防ボルトを固定する工程と、
の各工程を行うタイル剥離予防方法であり、
前記タイル剥離予防ボルトは、
ボルト形状をしており、ボルトの頭部及びボルトの軸部から構成され、
当該ボルトの軸部は雄ねじが切られ、
当該ボルトの頭部は、ボルトとしての使用時に平面から見て円形又は多角形であって、当該ボルトの軸部に対応した雌ねじが切られた穴が設けられており、当該ボルトの軸部側から小さい円形又は多角形の平面と、大きい円形又は多角形の平面と、の少なくとも２段階の平面が存在し、
ボルトの軸部の雄ねじと、当該雄ねじに対応したボルトの頭部の雌ねじにより、ボルトの頭部及びボルトの軸部を分離することができること、
を特徴とする、タイル剥離予防ボルトである。
【００４１】
（２）
【００４２】
「ボルトの頭部は、当該ボルトの軸部側から、小さい円形又は多角形の平面と、大きい円形又は多角形の平面と、の２段階の平面が少なくとも存在する」とは、ボルトの軸部側から、目地の交点に隣接するタイルの座彫り加工した表面へ接着させるための小さい円形又は多角形の平面と、目地の交点に隣接するタイルの座彫り加工していない表面へ接着させるための大きい円形又は多角形の平面の、少なくとも２段階の平面が存在することを意味する。
「目地の交点に隣接するタイルの座彫り加工した表面と座彫り加工していない表面とを、当該タイル剥離予防ボルトの頭部で受けて」とは、「目地の交点に隣接するタイルの座彫り加工した表面と座彫り加工していない表面」を、使用時に平面から見てボルトの頭部が円形又は多角形である「タイル剥離予防ボルトの頭部」で受けとめ、押さえる状態として、という意味である。
【００４３】
（３）
【００４４】
本発明により、経年劣化によって、マンション、ビルやホテル、などの各種の建築物の壁面、天井等に張られたタイルに発生した、「タイルの剥落」等の原因となる「タイルの浮き」等に対する補修工事の方法が実現できる。
また、「ボルトの軸部の雄ねじと、当該雄ねじに対応したボルトの頭部の雌ねじにより、分離することができる」ため、例えば、ボルトの軸部を「雄ねじが切られた長い金属棒」から切り出し、別途製造した、雌ねじが切られた穴が設けられた「２段階の平面が存在するボルトの頭部」と結合させて、タイル剥離予防ボルトを製造すれば、安価に、タイル剥離予防ボルトを量産することができる。
すなわち、タイル剥離予防ボルトを一体成型して製造せずとも、安価に、タイル剥離予防ボルトを量産することができる。
加えて、「目地の交点に隣接するタイルの座彫り加工した表面への、接着剤による、当該タイル剥離予防ボルトの頭部の小さい円形又は多角形の平面との接着と、目地の交点に隣接するタイルの座彫り加工していない表面への、接着剤による、当該タイル剥離予防ボルトの頭部の大きい円形又は多角形の平面との接着と」を行うため、目地の交点に隣接するタイルの座彫り加工した表面も座彫り加工していない表面も、当該タイル剥離予防ボルトで受けて、剥落を予防することができ、しっかりと固定することができる。
さらに、「ボルトの軸部の雄ねじと、当該雄ねじに対応したボルトの頭部の雌ねじにより、分離することができる」ため、例えば、ボルトの軸部を「雄ねじが切られた長い金属棒」から切り出し、別途製造した、雌ねじが切られた穴が設けられたボルトの頭部と結合させて、タイル剥離予防ボルトを製造すれば、安価に、タイル剥離予防ボルトを量産することができる。
すなわち、タイル剥離予防ボルトを一体成型して製造せずとも、安価に、タイル剥離予防ボルトを量産することができるし、組み合わせることによって、タイル剥離予防ボルトの軸部の長さや、ボルトの頭部を、ある程度の自由度を持たせて調節することができる。
【００４５】
５、
【００４６】
（１）
【００４７】
また、他の発明に係るタイル剥離予防ボルトは、前記タイル剥離予防ボルトであって、
前記ドリルで穿った穴を通じて入れた接着剤による、前記タイル剥離予防ボルトの軸部の接着を強固にするためのエッジストッパーが、当該タイル剥離予防ボルトの軸部の雄ねじに、はめられていること、
を特徴とする、タイル剥離予防ボルトである。
【００４８】
（２）
【００４９】
「エッジストッパー」とは、タイル剥離予防ボルトの軸部の雄ねじに、回してはめることができる部品であって、タイル剥離予防ボルトの頭部に向かっての反りが存在することにより、タイル剥離予防ボルトの引き抜き強度を高め、ドリルで穿った穴を通じて入れた接着剤による、当該軸部の接着を強固にするアンカー効果（両端固定効果）を奏する部品である。
【００５０】
（３）
【００５１】
本発明により、経年劣化によって、マンション、ビルやホテル、などの各種の建築物の壁面、天井等に張られたタイルに発生した、「タイルの剥落」等の原因となる「タイルの浮き」等に対する補修工事の方法が実現できる。
また、「タイル剥離予防ボルトの軸部の雄ねじに、当該軸部の接着を強固にするためのエッジストッパーが、はめられている」ため、タイル剥離予防ボルトの引き抜き強度を高め、ドリルで穿った穴を通じて入れた接着剤による、当該軸部の接着を強固にするアンカー効果（両端固定効果）を奏する。
【００５２】
６、
【００５３】
（１）
【００５４】
また、他の発明に係るタイル剥離予防ボルトは、前記タイル剥離予防ボルトであって、
前記タイル剥離予防ボルトの頭部の、ボルトとしての使用時の面のうち、
前記座彫り加工したタイルの表面の部分に相当する部分に、
前記目地の交点に隣接するタイルに近似する塗膜を形成したこと、
を特徴とする、タイル剥離予防ボルトである。
【００５５】
（２）
【００５６】
「タイル剥離予防ボルトの頭部の、ボルトとしての使用時の面」とは、タイル剥離予防ボルトの頭部方向から見たボルトの頭部の面を意味する。
「タイル剥離予防ボルトの頭部の、ボルトとしての使用時の面」を、平面としておくと、目地の交点に隣接するタイルとなじみやすく、ボルトが目立ちにくい。
「座彫り加工したタイルの表面の部分に相当する部分」とは、ドリルで穿つ目地の交点に隣接するタイルの表面のうち、座彫り加工したタイルの表面の部分に相当する部分を意味し、当該部分について、「目地の交点に隣接するタイルに近似する塗膜を形成」すれば、タイルの表面に座彫り加工したことを一見しては分かりにくくできるため、美観を保持できる。
「目地の交点に隣接するタイルに近似する塗膜を形成した」とは、目地の交点に隣接するタイルの色と近似する塗膜を、吹き付け塗装等により形成したことを意味する。
【００５７】
（３）
【００５８】
本発明により、経年劣化によって、マンション、ビルやホテル、などの各種の建築物の壁面、天井等に張られたタイルに発生した、「タイルの剥落」等の原因となる「タイルの浮き」等に対する補修工事の方法が実現できる。
また、「タイル剥離予防ボルトの頭部の、ボルトとしての使用時の面のうち、座彫り加工したタイルの表面の部分に相当する部分に、目地の交点に隣接するタイルに近似する塗膜を形成した」ため、目地の交点に隣接するタイルの表面と、当該タイル剥離予防ボルトの頭部のボルトとしての使用時の面のうち、座彫り加工したタイルの表面の部分に相当する部分とが、色が近似しているため、補修工事後にタイル剥離予防ボルトの頭部が目立たず、タイルの外観を美しく保つことができる。
【００５９】
７、
【００６０】
（１）
【００６１】
また、他の発明に係るドリルの取替刃は、
タイル剥離予防方法に使用する、ドリルの刃となる、ドリルの取替刃であって、
前記タイル剥離予防方法は、
タイル剥離予防ボルトを使用して、建築物に張られたタイルが、当該建築物から剥がれ落ちるのを予防する方法であって、
（１）
前記建築物に張られたタイルの目地の交点部分に、前記タイル剥離予防ボルトを挿入するための穴を、ドリルで穿つと共に、
当該ドリルで穴を穿つ目地の交点部分を中心として、当該ドリルで穿つ目地の交点に隣接するタイルの表面に対し座彫り加工する工程と、
（２）
当該タイルの目地の交点部分にドリルで穿った穴に、前記タイル剥離予防ボルトの軸部を挿入し、
当該ドリルで穿った穴を通じて入れた接着剤による、当該軸部の接着により、
前記目地の交点に隣接するタイルの座彫り加工した表面を、当該タイル剥離予防ボルトの頭部で受けて、剥落を予防するために、前記タイルの目地の交点部分にドリルで穿った穴に当該タイル剥離予防ボルトを固定する工程と、
の各工程を行うタイル剥離予防方法であり、
前記ドリルの取替刃は、
ドリルの先端側から、小さい円形又は多角形の平面の刃と、大きい円形又は多角形の平面の刃と、の２段階の平面の刃が存在し、
当該小さい円形又は多角形の平面の刃で、前記タイル剥離予防ボルトを挿入するための穴を穿つと共に、
当該大きい円形又は多角形の平面の刃で、前記タイルの表面に対し座彫り加工する工程を、一緒に行う事ができること、
を特徴とする、ドリルの取替刃である。
【００６２】
（２）
【００６３】
「ドリルの先端側から、小さい円形又は多角形の平面の刃と、大きい円形又は多角形の平面の刃と、の２段階の平面の刃が存在し」とは、タイル剥離予防ボルトを挿入するための穴を穿つ小さい円形又は多角形の平面の刃と、タイルの表面に対し座彫り加工する大きい円形又は多角形の平面の刃と、の２段階の平面の刃が存在することを意味する。
それぞれの「平面の刃」は、まったいらの必要まではなく、効率的にドリルするための多少の凹凸が存在していてもよく、タイル剥離予防ボルトを挿入するための穴を穿ったり、タイルの表面に対し座彫り加工することができればよい。
【００６４】
（３）
【００６５】
本発明により、経年劣化によって、マンション、ビルやホテル、などの各種の建築物の壁面、天井等に張られたタイルに発生した、「タイルの剥落」等の原因となる「タイルの浮き」等に対する補修工事の方法が実現できる。
また、「ドリルの先端側から、小さい円形又は多角形の平面の刃と、大きい円形又は多角形の平面の刃と、の２段階の平面の刃が存在」するため、小さい円形又は多角形の平面の刃で、タイル剥離予防ボルトを挿入するための穴を穿つと共に、大きい円形又は多角形の平面の刃で、タイルの表面に対し座彫り加工する工程を、一緒に行う事ができ、工事の過程を簡略化できる。
【００６６】
８、
【００６７】
（１）
【００６８】
また、他の発明に係るドリルの取替刃は、
前記小さい円形又は多角形の平面の刃と、
前記大きい円形又は多角形の平面の刃と、
の長さを調節するための調節機構を設けていること、
を特徴とする、ドリルの取替刃である。
【００６９】
（２）
【００７０】
「小さい円形又は多角形の平面の刃と、大きい円形又は多角形の平面の刃と、の長さを調節するための調節機構を設けている」とは、例えば、ナットとねじ機構により、小さい円形又は多角形の平面の刃を備えた部品と、大きい円形又は多角形の平面の刃を備えた部品との位置を調節できる機構、のような、調整機構を設けていることを意味する。
【００７１】
（３）
【００７２】
本発明により、経年劣化によって、マンション、ビルやホテル、などの各種の建築物の壁面、天井等に張られたタイルに発生した、「タイルの剥落」等の原因となる「タイルの浮き」等に対する補修工事の方法が実現できる。
また、「小さい円形又は多角形の平面の刃と、大きい円形又は多角形の平面の刃と、の長さを調節するための調節機構を設けている」ため、小さい円形又は多角形の平面の刃で、タイル剥離予防ボルトを挿入するための穴を穿つと共に、大きい円形又は多角形の平面の刃で、タイルの表面に対し座彫り加工する工程を、一緒に行う事ができ、かつ、当該調整機構により、小さい円形又は多角形の平面の刃と、大きい円形又は多角形の平面の刃と、の長さを調節して、建築物のタイルの厚みや、目地の素材や深さ、タイル剥離予防ボルトの長さ、等に応じて、適宜調整を行うことができる。
これによって、ドリルの取替刃を複数用意せずとも、工事現場に応じた適切な工事を行うために、ドリルの取替刃を調節することができる。
【発明の効果】
【００７３】
本願に係る発明により、経年劣化によって、マンション、ビルやホテル、などの各種の建築物の壁面、天井等に張られたタイルに発生した、「タイルの剥落」等の原因となる「タイルの浮き」等に対する補修工事の方法が実現できる。
特に、建築物の壁面、天井等からタイルが剥がれ落ちるのを予防する方法に使用する、タイル剥離予防ボルト、ドリルの取替刃が実現できる。
【図面の簡単な説明】
【００７４】
【図１】従来から存在する、代表的なタイル・目地のパターンの図１
【図２】従来から存在する、代表的なタイル・目地のパターンの図２
【図３】従来から存在する、代表的なタイル・目地のパターンの図３
【図４】従来から存在する、代表的なタイル・目地のパターンの図４
【図５】従来から存在する、代表的なタイル・目地のパターンの図５
【図６】本発明に関するタイル剥離予防方法の実施例の図１
【図７】本発明に関するタイル剥離予防方法の実施例の図２
【図８】本発明に関するタイル剥離予防方法の実施後の図１
【図９】本発明に関するタイル剥離予防方法の実施後の図２
【図１０】本発明に関するタイル剥離予防方法の実施例の図３
【図１１】本発明に係るタイル剥離予防ボルトの実施例の図１
【図１２】本発明に係るタイル剥離予防ボルトの実施例の図２
【図１３】本発明に係るドリルの取替刃の図１
【図１４】本発明に係るドリルの取替刃の図２
【図１５】本発明に関するタイル剥離予防方法の実施例の図４
【図１６】本発明に関するタイル剥離予防方法の実施例の図５
【図１７】本発明に関するタイル剥離予防方法の実施例の図６
【発明を実施するための形態】
【００７５】
１、  図１−５は、各種の建築物の壁面、天井等に張られたタイルの、代表的なタイル・目地のパターンを図示したものである。
【００７６】
図１−５に示すように、各種の建築物の壁面、天井等に張られたタイルの代表的なタイル・目地のパターンとして、馬踏み目地（図１）、通し目地（図１）、たて芋目地（図２）、たて張り千鳥目地（図２）、たて馬目地（図３）、やはず張り（図３）、イギリス張り（オランダ張り）（図４）、フランス張り（図４）、アメリカ張り（フランス型）（図５）、アメリカ張り（イギリス型）（図５）、等が存在する。
「建築物」とは、建築基準法上に規定されている建築物であり、例えば、住宅（共同住宅、集合住宅を含む）、オフィスビル、駅（駅舎）、空港、官公庁舎、警察署、消防署、交番、公衆便所、寺院、神社、教会、競技場、球場（スタジアム）、橋、映画館、演芸場、観覧場、公会堂、集会場、病院、診療所、ホテル、旅館、工場、下宿、寄宿舎、児童福祉施設等、児童福祉施設、助産所、身体障害者更生援護施設、精神障害者社会復帰施設、保護施設、婦人保護施設、知的障害者援護施設、老人福祉施設、有料老人ホーム、母子保健施設、学校、体育館、博物館、美術館、図書館、ボウリング場、スキー場、水泳場、スポーツの練習場、百貨店、マーケット、展示場、カフェ、遊技場、公衆浴場、待合、料理店、飲食店、店舗（物品販売業を営む）、倉庫、自動車車庫、自動車修理工場、映画スタジオ、テレビスタジオ、等が該当する。
「建築物に張られたタイル」とは、上記「建築物」の壁面、天井等に張られたタイルが該当する。
図１−５に示すように、いずれのタイル・目地のパターンについても、「タイルの目地の交点部分」は、四角形の面積の目地部分となっている。
なお、「タイルの目地の交点部分」とは、建築物に張られた、タイルとタイルとの間の継ぎ目の部分（タイルの目地）が交わる目地部分を指し、ある目地の直線と別の目地の直線とが交わる部分の、四角形の面積の目地部分を意味する。
また、目地に充填される建築材料のことを、目地材又は目地剤といい、モルタル、セメント、シーリング、漆喰、等がある。
【００７７】
２、  図６は、本願に関するタイル剥離予防方法の一実施例である。
【００７８】
同図に示す実施例は、タイル剥離予防ボルトを使用し、建築物に張られたタイルが、当該建築物から剥がれ落ちるのを予防する方法である。
【００７９】
（１）
建築物に張られたタイルの目地の交点部分を含む範囲に、タイル剥離予防ボルトを挿入するための穴を、当該建築物の躯体の一部も含め、ドリルで穿つと共に、
当該ドリルで穴を穿つ目地の交点部分を中心として、当該ドリルで穿つ目地の交点に隣接するタイルの表面に対し、タイル剥離予防ボルトの頭部が当該タイルの表面から出ないように座彫り加工する工程と、
（２）
当該タイルの目地の交点部分を含む範囲にドリルで穿った穴に、タイル剥離予防ボルトの軸部を挿入し、
当該ドリルで穿った穴を通じて入れた接着剤による、当該軸部の接着と、タイルの浮きの部分の接着と、モルタルの浮きの部分の接着と、
目地の交点に隣接するタイルの座彫り加工した表面への、接着剤による当該タイル剥離予防ボルトの頭部の接着と、
により、
目地の交点に隣接するタイルの座彫り加工した表面を、当該タイル剥離予防ボルトの頭部で受けて、剥落を予防するために、タイルの目地の交点部分にドリルで穿った穴に当該タイル剥離予防ボルトを固定する工程と、
の各工程を行う、タイル剥離予防方法である。
【００８０】
「建築物に張られたタイルの目地の交点部分を含む範囲」とは、建築物に張られた、タイルとタイルとの間の継ぎ目の部分（タイルの目地）が交わる目地部分（「タイルの目地の交点部分」）を含む部分、すなわち、ある目地の直線と別の目地の直線とが交わる部分の、四角形の面積の目地部分（「タイルの目地の交点部分」）以上の範囲で、という意味である。
「建築物に張られたタイルの目地の交点部分を含む範囲に、タイル剥離予防ボルトを挿入するための穴を、ドリルで穿つ」とは、「建築物に張られたタイルの目地の交点部分」を含む範囲の全部又は一部の面積部分について、ドリルで穴を穿つ、という意味である。
「建築物に張られたタイルの目地の交点部分に、タイル剥離予防ボルトを挿入するための穴を、当該建築物の躯体の一部も含め、ドリルで穿つ」とは、例えば、建築物の外側から内側に向かって、タイルの目地の層（目地モルタル等）、タイルと建築物の躯体との間の中間層（モルタル層等）、建築物の躯体（コンクリート等）、の各層の順番となっている場合、タイル剥離予防ボルトをしっかりと固定するために、建築物の躯体の部分も含めた深さまでドリルで穴を穿つ事を意味する。
建築物に張られたタイルの、「タイルの目地の交点部分」は、例えば、建築物の外側から内側に向かって、目地モルタル（目地の部分のモルタル）、モルタル層（基礎となるモルタル層）、建築物の躯体（コンクリート等）、の各層の順番となっている。
このように、一般的には、建築物に張られたタイルの、「タイルの目地の交点部分」は、建築物の外側から内側に向かって、タイルの目地の層（目地モルタル等）、タイルと建築物の躯体との間の中間層（モルタル層等）、建築物の躯体（コンクリート等）、の各層の順番となっている。
「建築物に張られたタイルの目地の交点部分に、タイル剥離予防ボルトを挿入するための穴を、ドリルで穿つ」とは、例えば、建築物の外側から内側に向かって、タイルの目地の層（目地モルタル等）、タイルと建築物の躯体との間の中間層（モルタル層等）、建築物の躯体（コンクリート等）、の各層の順番となっている場合、タイルの目地の層の部分の深さまでドリルで穴を穿つ事だけでなく、タイル剥離予防ボルトをしっかりと固定するために、タイルと建築物の躯体との間の中間層の部分の深さまでドリルで穴を穿つ事や、さらに、建築物の躯体の部分の深さまでドリルで穴を穿つ事も、考えられる。
【００８１】
「ドリル」とは、回転する動作によって、物に円柱の形の穴を開ける工具であるが、建築物に張られたタイルの目地の交点部分に、タイル剥離予防ボルトを挿入するための穴を穿つことができるドリルであれば、ドリルの種類は問わない。
一般的には、タイルや、タイルの目地部分等に穴を穿つ際には、電動ドリルが用いられる。
「ドリルで穴を穿つ目地の交点部分を中心として」とは、建築物に張られた、タイルとタイルとの間の継ぎ目の部分（タイルの目地）が交わる目地部分（「タイルの目地の交点部分」）を中心として、すなわち、ある目地の直線と別の目地の直線とが交わる部分の、四角形の面積の目地部分（「タイルの目地の交点部分」）のいずれかの場所を中心として、という位の意味である。
「ドリルで穿つ目地の交点に隣接するタイルの表面に対し座彫り加工する」とは、ドリルで穿つ目地の交点（「タイルの目地の交点部分」）に隣接する複数（一般的には、３つ又は４つ）のタイルの表面に対し、座彫り加工することを意味する。
「タイルの表面に対し座彫り加工する」とは、タイルの表面を、タイル剥離予防ボルトの頭部で受ける際に、タイル剥離予防ボルトの頭部がしっかりとタイルの表面を受けられるように、タイルの表面を平らに掘り下げる加工である。
「座彫り加工」の程度として、タイル剥離予防ボルトの頭部が、当該座彫り加工していない部分のタイルの表面から出ないように深く座彫り加工する場合も考えられるし、タイル剥離予防ボルトの頭部が、当該座彫り加工していない部分のタイルの表面から出る程度の浅い座彫り加工をする場合も考えられる。
「ドリルで穿つ目地の交点に隣接するタイルの表面に対し、前記タイル剥離予防ボルトの頭部が当該タイルの表面から出ないように座彫り加工する」とは、ドリルで穿つ目地の交点（「タイルの目地の交点部分」）に隣接する複数（一般的には、３つ又は４つ）のタイルの表面に対し、座彫り加工することを意味し、特に、タイル剥離予防ボルトの頭部が、当該座彫り加工していない部分のタイルの表面から出ないように座彫り加工することを意味する。
「ドリルで穿つ目地の交点に隣接するタイルの表面に対し、前記タイル剥離予防ボルトの頭部が当該タイルの表面から出ないように座彫り加工する」には、タイル剥離予防ボルトの頭部が、当該座彫り加工していない部分のタイルの表面から出ないだけでなく、ドリルで穿つ目地の交点（「タイルの目地の交点部分」）における元々の目地の高さ付近にタイル剥離予防ボルトの頭部の頂点の面が合うよう、タイル剥離予防ボルトの頭部が、ドリルで穿つ目地の交点（「タイルの目地の交点部分」）における元々の目地の表面から出ないように座彫り加工する場合も含まれる。
「建築物に張られたタイルの目地の交点部分に、タイル剥離予防ボルトを挿入するための穴を、ドリルで穿つ」作業と、「ドリルで穴を穿つ目地の交点部分を中心として、当該ドリルで穿つ目地の交点に隣接するタイルの表面に対し座彫り加工する」作業とは、どちらを先に行ってもよいし（順番は、どちらから先に行っても構わないし）、同時に行ってもよい。
建築物に張られたタイルの部分は、例えば、建築物の外側から内側に向かって、タイル、圧着モルタル（タイルを張り付けるモルタル）、モルタル層（基礎となるモルタル層）、建築物の躯体（コンクリート等）、の各層の順番となっている。
このように、一般的には、建築物に張られたタイルの部分は、建築物の外側から内側に向かって、タイル、タイルを接着させる接着剤の層（圧着モルタル等）、タイルと建築物の躯体との間の中間層（モルタル層等）、建築物の躯体（コンクリート等）、の各層の順番となっている。
【００８２】
「接着剤」には、各種の接着剤が含まれるが、接着剤としては、無機系接着剤、有機系接着剤、天然系接着剤、合成系接着剤、の種類がある。
本発明では、接着剤として、建築物の工事においてよく利用される、合成系接着剤を利用してもよい。例えば、弾性のエポキシ樹脂系接着剤等である。
【００８３】
「当該ドリルで穿った穴を通じて入れた接着剤による、当該軸部の接着により」とは、「当該ドリルで穿った穴」に「接着剤」を注入し、「タイル剥離予防ボルト」を挿入して、「タイル剥離予防ボルト」の軸部を「当該ドリルで穿った穴」に接着させることを意味する。
「ドリルで穿った穴を通じて入れた接着剤による、当該軸部の接着と、タイルの浮きの部分の接着」とは、「当該ドリルで穿った穴」に「接着剤」を注入し、「タイル剥離予防ボルト」を挿入して、「タイル剥離予防ボルト」の軸部を「当該ドリルで穿った穴」に接着させると共に、「建築物に張られたタイルの目地の交点部分を含む範囲」に「当該ドリルで穿った穴」と繋がったタイルの浮きの部分についても、「接着剤」を注入し、タイルの浮きの部分の空間も接着する、という意味である。
「ドリルで穿った穴を通じて入れた接着剤による、当該軸部の接着と、タイルの浮きの部分の接着と、モルタルの浮きの部分の接着と、により」とは、「当該ドリルで穿った穴」に「接着剤」を注入し、「タイル剥離予防ボルト」を挿入して、「タイル剥離予防ボルト」の軸部を「当該ドリルで穿った穴」に接着させると共に、「建築物に張られたタイルの目地の交点部分を含む範囲」に「当該ドリルで穿った穴」と繋がったタイルの浮きの部分の空間や、モルタルの浮きの部分の空間についても、「接着剤」を注入し、タイルの浮きの部分やモルタルの浮きの部分の空間も接着する、という意味である。
「タイルの浮きの部分の空間」とは、タイルと、タイルを接着させる接着剤の層との間に生じてしまった、タイルの浮きの部分の空間をいう。
「モルタルの浮きの部分の空間」とは、タイルを接着させる接着剤の層と、タイルと建築物の躯体との間の中間層との間や、タイルと建築物の躯体との間の中間層と、建築物の躯体との間に、生じてしまった、モルタル等の浮きの部分の空間をいう。
「目地の交点に隣接するタイルの座彫り加工した表面への、接着剤による当該タイル剥離予防ボルトの頭部の接着」とは、「目地の交点に隣接するタイルの座彫り加工した表面」に「接着剤」で「タイル剥離予防ボルトの頭部」を接着することを意味する。
「ドリルで穿った穴を通じて入れた接着剤による、当該軸部の接着」と、「目地の交点に隣接するタイルの座彫り加工した表面への、接着剤による当該タイル剥離予防ボルトの頭部の接着」とは、どちらを先に行ってもよいし（順番は、どちらから先に行っても構わないし）、同時に行ってもよい。
当該接着により、「タイルの目地の交点部分にドリルで穿った穴に当該タイル剥離予防ボルトを固定する」ことができる。
また、図６に示すように、接着剤により、タイル剥離予防ボルトの頭部の側面と、目地の交点に隣接するタイルの座彫り加工した部分とを、接着することも考えられる。
「目地の交点に隣接するタイルの座彫り加工した表面を、当該タイル剥離予防ボルトの頭部で受けて」とは、「目地の交点に隣接するタイルの座彫り加工した表面」を、使用時に平面から見てボルトの頭部が円形又は多角形である「タイル剥離予防ボルトの頭部」で受けとめ、押さえる状態として、という意味である。
「タイル剥離予防ボルトの頭部」で受けとめ、押さえる「目地の交点に隣接するタイルの座彫り加工した表面」は、「目地の交点に隣接するタイルの座彫り加工した表面」の全面の場合に限られず、一部であってもよい。
「タイル剥離予防ボルトの頭部で受けとめ、押さえる状態」の程度は、タイルの剥離予防ができる程度でよく、きつめにしたり、緩めにしたり、という強弱はある程度の幅がある。
なお、「接着剤」を注入する前に、「当該ドリルで穿った穴」を水等で洗浄するという工程を行うと、ドリルで穿った部分のくずを、接着の前に除去することができる。
【００８４】
本願に関する発明により、経年劣化によって、マンション、ビルやホテル、などの各種の建築物の壁面、天井等に張られたタイルに発生した、「タイルの剥落」等の原因となる「タイルの浮き」等に対する補修工事の方法が実現できる。
【００８５】
３、  図７は、本願に関するタイル剥離予防方法の他の実施例である。
【００８６】
同図に示すように、タイル剥離予防ボルトの頭部は、当該ボルトの軸部側から、小さい円形又は多角形の平面と、大きい円形又は多角形の平面と、の２段階の平面が少なくとも存在する。
「ボルトの頭部は、当該ボルトの軸部側から、小さい円形又は多角形の平面と、大きい円形又は多角形の平面と、の２段階の平面が少なくとも存在する」とは、ボルトの軸部側から、目地の交点に隣接するタイルの座彫り加工した表面へ接着させるための小さい円形又は多角形の平面と、目地の交点に隣接するタイルの座彫り加工していない表面へ接着させるための大きい円形又は多角形の平面の、少なくとも２段階の平面が存在することを意味する。
【００８７】
そして、タイル剥離予防方法としては、
（１）
建築物に張られたタイルの目地の交点部分に、タイル剥離予防ボルトを挿入するための穴を、ドリルで穿つと共に、
当該ドリルで穴を穿つ目地の交点部分を中心として、当該ドリルで穿つ目地の交点に隣接するタイルの表面に対し座彫り加工する工程と、
（２）
当該タイルの目地の交点部分にドリルで穿った穴に、タイル剥離予防ボルトの軸部を挿入し、
当該ドリルで穿った穴を通じて入れた接着剤による、当該軸部の接着と、
目地の交点に隣接するタイルの座彫り加工した表面への、接着剤による、当該タイル剥離予防ボルトの頭部の小さい円形又は多角形の平面との接着と、
目地の交点に隣接するタイルの座彫り加工していない表面への、接着剤による、当該タイル剥離予防ボルトの頭部の大きい円形又は多角形の平面との接着と、
により、
目地の交点に隣接するタイルの座彫り加工した表面と座彫り加工していない表面とを、当該タイル剥離予防ボルトの頭部で受けて、剥落を予防するために、タイルの目地の交点部分にドリルで穿った穴に当該タイル剥離予防ボルトを固定する工程と、
の各工程を行うことを特徴とする、タイル剥離予防方法である。
【００８８】
図７に示すように、接着剤により、タイル剥離予防ボルトの頭部の側面と、目地の交点に隣接するタイルの座彫り加工した部分とを、接着することも考えられる。
「目地の交点に隣接するタイルの座彫り加工した表面への、接着剤による、当該タイル剥離予防ボルトの頭部の小さい円形又は多角形の平面との接着と、目地の交点に隣接するタイルの座彫り加工していない表面への、接着剤による、当該タイル剥離予防ボルトの頭部の大きい円形又は多角形の平面との接着と」を行うため、目地の交点に隣接するタイルの座彫り加工した表面も座彫り加工していない表面も、当該タイル剥離予防ボルトで受けて、剥落を予防することができ、しっかりと固定することができる。
「目地の交点に隣接するタイルの座彫り加工した表面と座彫り加工していない表面とを、当該タイル剥離予防ボルトの頭部で受けて」とは、「目地の交点に隣接するタイルの座彫り加工した表面と座彫り加工していない表面」を、使用時に平面から見てボルトの頭部が円形又は多角形である「タイル剥離予防ボルトの頭部」で受けとめ、押さえる状態として、という意味である。
【００８９】
４、  図８−９は、本願に関するタイル剥離予防方法の実施後に、タイル剥離予防ボルトの使用時の平面から見た図である。
【００９０】
図８は、馬張りのタイルについて、３枚タイル同時止め落下防止のために、本願に関するタイル剥離予防方法を実施した後の図である。
図９は、芋張りのタイルについて、４枚タイル同時止め落下防止のために、本願に関するタイル剥離予防方法を実施した後の図である。
図８、図９に示すように、タイル剥離予防ボルトの円形又は多角形の頭部により、タイル剥離予防ボルトが固定されたタイルの目地の交点部分に接する複数（一般的には、３つ又は４つ）のタイルが、建築物から剥がれ落ちるのを予防することができる。
よって、経年劣化によって、マンション、ビルやホテル、などの各種の建築物の壁面、天井等に張られたタイルに発生した、「タイルの剥落」等の原因となる「タイルの浮き」等に対する補修工事の方法が実現できる。
【００９１】
図８、図９に示すように、ドリルで穴を穿つ目地の交点部分を中心として、当該ドリルで穿つ目地の交点に隣接するタイルの表面に対し、座彫り加工されている。
「ドリルで穿つ目地の交点に隣接するタイルの表面に対し座彫り加工する」とは、ドリルで穿つ目地の交点（「タイルの目地の交点部分」）に隣接する複数（一般的には、３つ又は４つ）のタイルの表面に対し、座彫り加工することを意味する。
【００９２】
また、タイル剥離予防ボルトの頭部の、ボルトとしての使用時の面のうち、
座彫り加工したタイルの表面の部分に相当する部分に、
目地の交点に隣接するタイルに近似する塗膜を形成することも考えられる。
【００９３】
「タイル剥離予防ボルトの頭部の、ボルトとしての使用時の面」とは、タイル剥離予防ボルトの頭部方向から見たボルトの頭部の面を意味する。
「タイル剥離予防ボルトの頭部の、ボルトとしての使用時の面」を、平面としておくと、目地の交点に隣接するタイルとなじみやすく、ボルトが目立ちにくい。
「座彫り加工したタイルの表面の部分に相当する部分」とは、ドリルで穿つ目地の交点に隣接するタイルの表面のうち、座彫り加工したタイルの表面の部分に相当する部分を意味し、当該部分について、「目地の交点に隣接するタイルに近似する塗膜を形成」すれば、タイルの表面に座彫り加工したことを一見しては分かりにくくできるため、美観を保持できる。
「目地の交点に隣接するタイルに近似する塗膜を形成した」とは、目地の交点に隣接するタイルの色と近似する塗膜を、吹き付け塗装等により形成したことを意味する。
【００９４】
「タイル剥離予防ボルトの頭部の、ボルトとしての使用時の面のうち、座彫り加工したタイルの表面の部分に相当する部分に、目地の交点に隣接するタイルに近似する塗膜を形成した」ため、目地の交点に隣接するタイルの表面と、当該タイル剥離予防ボルトの頭部のボルトとしての使用時の面のうち、座彫り加工したタイルの表面の部分に相当する部分とが、色が近似しているため、補修工事後にタイル剥離予防ボルトの頭部が目立たず、タイルの外観を美しく保つことができる。
【００９５】
また、図６、図７に示すように、建築物に張られたタイルの目地の交点部分に穿った穴が「タイルの浮き」や「モルタルの浮き」の部分の空間と繋がる場合がある。
図６、図７に示すように、建築物に張られたタイルの目地の交点部分に穿った穴を通じて、接着剤を入れるため、当該穴が「タイルの浮き」や「モルタルの浮き」の部分の空間と繋がったような場合は、当該穴を通じ、「タイルの浮き」や「モルタルの浮き」の部分の空間に接着剤を導入する事ができ、補強する事ができる場合がある。
加えて、図１０に示すように、「タイル剥離予防ボルトの頭部が、ドリルで穿つ目地の交点（「タイルの目地の交点部分」）における元々の目地の表面から出ないように座彫り加工する」場合は、タイル剥離予防ボルトの頭部が周りの目地の表面から出ないため、補修工事後にタイル剥離予防ボルトの頭部が目立たず、タイルや目地の外観を美しく保つことができる。
図１０では、ドリルで穿つ目地の交点（「タイルの目地の交点部分」）における元々の目地の高さ付近にタイル剥離予防ボルトの頭部の頂点の面が合うように、座彫り加工している。
【００９６】
５、  図１１、図１２は、本願に係るタイル剥離予防ボルトの一実施例である。
【００９７】
同図に示すように、タイル剥離予防ボルトは、ボルト形状をしており、ボルトの頭部及びボルトの軸部から構成され、当該ボルトの軸部は雄ねじが切られ、当該ボルトの頭部は、ボルトとしての使用時に平面から見て円形又は多角形であって、当該ボルトの軸部に対応した雌ねじが切られた穴が設けられており、ボルトの軸部の雄ねじと、当該雄ねじに対応したボルトの頭部の雌ねじにより、分離することができる。
「タイル剥離予防ボルト」とは、ボルト形状をしており、使用時に平面から見て当該ボルトの頭部が円形又は多角形（例えば、六角形等）のボルトである。ボルトの頭部の多角形としては、六角形以外にも、三角形、四角形、五角形、八角形、等の多角形が考えられる。
「ボルトとしての使用時に平面から見て」とは、ボルトとしての使用時にボルトの頭部方向から見て、という意味である。
「使用時に平面から見て当該ボルトの頭部が円形又は多角形である」ボルトの例としては、六角ボルト形状、六角穴付ボルト（キャップボルト）形状、ボタンキャップボルト形状、皿キャップボルト形状、蝶ボルト形状、等の形状のボルトが該当する。
なお、ボルトとナットはセットになることが多いものではあるが、本願に係る「タイル剥離予防ボルト」は、ドリルで穿った穴に接着剤で固定するものであるため、ナットを必ずしも必要とするわけではない。
「ボルトの頭部は、当該ボルトの軸部に対応した雌ねじが切られた穴が設けられており」とは、例えば、図１２に示すように、ボルトの頭部に穴が設けられており、ボルトの軸部の雄ねじと、当該雄ねじに対応したボルトの頭部の雌ねじにより、結合させて、タイル剥離予防ボルトとすることができることを意味する。
【００９８】
また、図１１、図１２に示すように、タイル剥離予防ボルトの軸部の雄ねじに、ドリルで穿った穴を通じて入れた接着剤による、当該軸部の接着を強固にするためのエッジストッパーが、はめられた、タイル剥離予防ボルトも考えられる。
「エッジストッパー」とは、タイル剥離予防ボルトの軸部の雄ねじに、回してはめることができる部品であって、タイル剥離予防ボルトの頭部に向かって反りが存在することにより、タイル剥離予防ボルトの引き抜き強度を高め、ドリルで穿った穴を通じて入れた接着剤による、当該軸部の接着を強固にするアンカー効果（両端固定効果）を奏する部品である。
【００９９】
また、タイル剥離予防ボルトの頭部の、ボルトとしての使用時の面のうち、座彫り加工したタイルの表面の部分に相当する部分に、目地の交点に隣接するタイルに近似する塗膜を形成することも考えられる。
「タイル剥離予防ボルトの頭部の、ボルトとしての使用時の面」とは、タイル剥離予防ボルトの頭部方向から見たボルトの頭部の面を意味する。
「タイル剥離予防ボルトの頭部の、ボルトとしての使用時の面」を、平面としておくと、目地の交点に隣接するタイルとなじみやすく、ボルトが目立ちにくい。
「座彫り加工したタイルの表面の部分に相当する部分」とは、ドリルで穿つ目地の交点に隣接するタイルの表面のうち、座彫り加工したタイルの表面の部分に相当する部分を意味し、当該部分について、「目地の交点に隣接するタイルに近似する塗膜を形成」すれば、タイルの表面に座彫り加工したことを一見しては分かりにくくできるため、美観を保持できる。
「目地の交点に隣接するタイルに近似する塗膜を形成した」とは、目地の交点に隣接するタイルの色と近似する塗膜を、吹き付け塗装等により形成したことを意味する。
なお、ボルトとナットはセットになることが多いものではあるが、本発明に係る「タイル剥離予防ボルト」は、ドリルで穿った穴に接着剤で固定するものであるため、ナットを必ずしも必要とするわけではない。
【０１００】
また、建築物に張られたタイルの目地における、タイルとタイルの間の目地幅は、建築物によって異なるものの、４ｍｍ〜５ｍｍ程度であることが多い。
よって、建築物に張られたタイルの目地の交点部分に穿った穴に挿入する、タイル剥離予防ボルトの軸部の直径を、４ｍｍ〜８ｍｍとすることが考えられる。これは、タイルとタイルの間の目地幅（４ｍｍ〜５ｍｍ程度）×２の平方根より、４ｍｍ〜８ｍｍとすることが導き出される。また、建築物に張られたタイル自体には、あまり食い込みすぎない方がよいからである。
また、図１１（ａ）、図１２（ａ）に示すように、目地の交点に隣接するタイルの座彫り加工した表面を、タイル剥離予防ボルトの頭部で受けて、剥落を予防することができ、かつ、補修工事後にタイル剥離予防ボルトの頭部が目立たず、タイルの外観を美しく保つための、調和の観点で、タイル剥離予防ボルトの頭部の直径を、７ｍｍ〜１５ｍｍとすることが考えられる。これは、タイルとタイルの間の目地幅（４ｍｍ〜５ｍｍ程度）よりも大きく、かつ、タイル剥離予防ボルトの頭部が、あまり目立たない程度が望ましいからである。
【０１０１】
また、図１１（ｂ）、図１２（ｂ）に示すように、ボルトの頭部が、ボルトとしての使用時に平面から見て円形又は多角形であって、当該ボルトの軸部に対応した雌ねじが切られた穴が設けられており、当該ボルトの軸部側から小さい円形又は多角形の平面と、大きい円形又は多角形の平面と、の２段階の平面が存在し、ボルトの軸部の雄ねじと、当該雄ねじに対応したボルトの頭部の雌ねじにより、分離することができる、タイル剥離予防ボルトも考えられる。
この場合、ボルトの軸部側から小さい円形又は多角形の平面は、目地の交点に隣接するタイルの座彫り加工した表面を受けるため、直径を、７ｍｍ〜１５ｍｍとすることが考えられる。これは、タイルとタイルの間の目地幅（４ｍｍ〜５ｍｍ程度）よりも大きく、かつ、タイル剥離予防ボルトの頭部が、あまり目立たない程度が望ましいからである。
また、ボルトの軸部側から大きい円形又は多角形の平面は、７ｍｍ〜１５ｍｍとすることが考えられるが、目地の交点に隣接するタイルの座彫り加工していない表面を受けるため、上限１５ｍｍに関らず、更に大きいサイズ（〜２０ｍｍ、〜２５ｍｍ、〜３０ｍｍ等）としても構わない。これは、タイルとタイルの間の目地幅（４ｍｍ〜５ｍｍ程度）よりも大きく、かつ、ボルトの軸部側から小さい円形又は多角形の平面よりも大きくなる必要があるからである。
【０１０２】
６、  図１３、図１４は、本願に係るタイル剥離予防方法に利用するドリルの取替刃の一実施例である。
【０１０３】
同図に示すように、ドリルの取替刃は、ドリルの先端側から、小さい円形又は多角形の平面の刃と、大きい円形又は多角形の平面の刃と、の２段階の平面の刃が存在する。
「ドリルの先端側から、小さい円形又は多角形の平面の刃と、大きい円形又は多角形の平面の刃と、の２段階の平面の刃が存在し」とは、タイル剥離予防ボルトを挿入するための穴を穿つ小さい円形又は多角形の平面の刃と、タイルの表面に対し座彫り加工する大きい円形又は多角形の平面の刃と、の２段階の平面の刃が存在することを意味する。
それぞれの「平面の刃」は、まったいらの必要まではなく、効率的にドリルするための多少の凹凸が存在していてもよく、タイル剥離予防ボルトを挿入するための穴を穿ったり、タイルの表面に対し座彫り加工することができればよい。
そして、当該小さい円形又は多角形の平面の刃で、前記タイル剥離予防ボルトを挿入するための穴を穿つと共に、当該大きい円形又は多角形の平面の刃で、前記タイルの表面に対し座彫り加工する工程を、一緒に行う事ができる。
【０１０４】
また、図１３、図１４に示すように、ドリルの取替刃の大きい円形又は多角形の平面の刃は、ドリルの先端側又は根元側へ、上下に移動させ、小さい円形又は多角形の平面の刃と、大きい円形又は多角形の平面の刃との間の長さを、調整する事ができる。
すなわち、小さい円形又は多角形の平面の刃と、大きい円形又は多角形の平面の刃と、の長さを調節するための調節機構を設けている。
「小さい円形又は多角形の平面の刃と、大きい円形又は多角形の平面の刃と、の長さを調節するための調節機構を設けている」とは、例えば、図１３、図１４に示すように、ナットとねじ機構により、小さい円形又は多角形の平面の刃を備えた部品と、大きい円形又は多角形の平面の刃を備えた部品との位置を調節できる機構、のような、調整機構を設けていることを意味する。
具体的には、図１３、図１４に示すように、ドリルの取替刃の本体部品に、小さい円形の平面の刃をねじ機構により結合できる。そして、当該ドリルの取替刃の本体部品に、大きい円形の平面の刃の部品をねじ機構により結合できるように構成され、大きい円形の平面の刃の部品の位置（大きい円形の平面の刃の位置）は、ねじ機構にナットを組み合わせることにより、上下に調節することができる。
なお、「接着剤」を注入する前に、「当該ドリルで穿った穴」を水等で洗浄するという工程を行うと、ドリルで穿った部分のくずを、接着の前に除去することができるため、図１３、図１４における、小さい円形の平面の刃に存在するくぼみは、ドリルの取替刃の本体部品の中空の管を通して、ドリル本体から水が出るようにしているものである。
また、図１３、図１４に示す、小さい円形の平面の刃、大きい円形の平面の刃は、工業用ダイヤの刃、等が考えられる。
当該小さい円形又は多角形の平面の刃で、タイル剥離予防ボルトを挿入するための穴を穿つと共に、当該大きい円形又は多角形の平面の刃で、タイルの表面に対し座彫り加工する工程を一緒に行う際に、小さい円形又は多角形の平面の刃と大きい円形又は多角形の平面の刃との間の長さを調整して行うする事ができる。
また、「小さい円形又は多角形の平面の刃と、大きい円形又は多角形の平面の刃と、の長さを調節するための調節機構を設けている」ため、小さい円形又は多角形の平面の刃で、タイル剥離予防ボルトを挿入するための穴を穿つと共に、大きい円形又は多角形の平面の刃で、タイルの表面に対し座彫り加工する工程を、一緒に行う事ができ、かつ、当該調整機構により、小さい円形又は多角形の平面の刃と、大きい円形又は多角形の平面の刃と、の長さを調節して、建築物のタイルの厚みや、目地材の種類や目地材の深さ、タイル剥離予防ボルトの長さ、等に応じて、適宜調整を行うことができる。
これによって、ドリルの取替刃を複数用意せずとも、工事現場に応じた適切な工事を行うために、ドリルの取替刃を調節することができる。
図１３では、ねじ機構（雌ねじ、雄ねじ）により、ドリルの取替刃の大きい円形又は多角形の平面の刃を、ドリルの先端側又は根元側へ上下に移動させることができる。
また、建築物に張られたタイルの目地における、タイルとタイルの間の目地幅は、建築物によって異なるものの、４ｍｍ〜５ｍｍ程度であることが多い。
よって、建築物に張られたタイルの目地の交点部分に、タイル剥離予防ボルトを挿入するための穴を穿つための、ドリルの取替刃の小さい円形又は多角形の平面の刃は、直径又は一辺の長さを、４ｍｍ〜８ｍｍとすることが考えられる。これは、タイルとタイルの間の目地幅（４ｍｍ〜５ｍｍ程度）×２の平方根より、４ｍｍ〜８ｍｍとすることが導き出される。また、建築物に張られたタイル自体には、タイル剥離予防ボルトを挿入するための穴が、あまり食い込みすぎない方がよいからである。
また、目地の交点に隣接するタイルの座彫り加工した表面を、タイル剥離予防ボルトの頭部で受けて、剥落を予防することができ、かつ、補修工事後にタイル剥離予防ボルトの頭部が目立たず、タイルの外観を美しく保つための、調和の観点で、ドリルで穴を穿つ目地の交点部分を中心として、当該ドリルで穿つ目地の交点に隣接するタイルの表面に対し座彫り加工する、ドリルの取替刃の大きい円形又は多角形の平面の刃の、直径又は一辺の長さは、７ｍｍ〜１５ｍｍとすることが考えられる。これは、タイルとタイルの間の目地幅（４ｍｍ〜５ｍｍ程度）よりも大きく、かつ、タイル剥離予防ボルトの頭部が、あまり目立たない程度の座彫り加工が望ましいからである。
【０１０５】
７、  図１５、図１６、図１７は、本願に関するタイル剥離予防方法の他の実施例である。
【０１０６】
図６のタイル剥離予防方法において、図１１及び図１２に示すタイル剥離予防ボルトを利用した図が、図１５である。
図７のタイル剥離予防方法において、図１１及び図１２に示すタイル剥離予防ボルトを利用した図が、図１６である。
図１０のタイル剥離予防方法において、図１１及び図１２に示すタイル剥離予防ボルトを利用した図が、図１７である。
同図に示すように、「タイル剥離予防ボルトの軸部の雄ねじに、当該軸部の接着を強固にするためのエッジストッパーが、はめられている」ため、タイル剥離予防ボルトの引き抜き強度を高め、ドリルで穿った穴を通じて入れた接着剤による、当該軸部の接着を強固にするアンカー効果（両端固定効果）を奏する。
【産業上の利用可能性】
【０１０７】
本願に関するタイル剥離予防方法を使用したり、タイル剥離予防ボルト、ドリルの取替刃を製造、販売することにより、産業の発達に寄与することができる。
【図１】
2013241770.tif 000003
【図２】
2013241770.tif 000004
【図３】
2013241770.tif 000005
【図４】
2013241770.tif 000006
【図５】
2013241770.tif 000007
【図６】
2013241770.tif 000008
【図７】
2013241770.tif 000009
【図８】
2013241770.tif 000010
【図９】
2013241770.tif 000011
【図１０】
2013241770.tif 000012
【図１１】
2013241770.tif 000013
【図１２】
2013241770.tif 000014
【図１３】
2013241770.tif 000015
【図１４】
2013241770.tif 000016
【図１５】
2013241770.tif 000017
【図１６】
2013241770.tif 000018
【図１７】
2013241770.tif 000019